(57)【要約】      （修正有）【課題】部品点数が少なくて済み、組み立てが簡単であり、後始末も容易な組立式簡易小便器を提案する。【解決手段】衝立板１０と小便器２０とホース３０とタンク４０から構成される組立式簡易小便器であって、衝立板は、長方形状であり、中央折罫線ａが谷折りされることにより自立し、小便器は、逆四角錘形状であり、四角錘の頂点に相当する部分にホースを接続可能な排出孔を有し、衝立板の中央部に、逆Ｖ字状の便器受け切込線と、３本の便器受け折罫線ｂ、ｃ、ｄと、Ｙ字状のくり抜き部切込線とによって形成される便器受け１１を有し、衝立板ブランクの中央折罫線ａを谷折りして、便器受け折罫線ｂ，ｃ，ｄを折ることによって形成される便器受け１１に小便器２０を嵌合せしめて、衝立板１０の背後に露出した小便器２０の排出孔に、タンク４０に至るホース３０を接続することにより組み立てる。【選択図】図１
2015142635.tif 000002
【特許請求の範囲】
【請求項１】
衝立板と小便器とホースとタンクから構成される組立式簡易小便器であって、
衝立板は、長方形状であり、中央折罫線が谷折りされることにより自立するものであり、
小便器は、逆四角錘形状であり、四角錘の頂点に相当する部分にホースを接続可能な排出孔を有し、
衝立板の中央部に、逆Ｖ字状の便器受け切込線と、３本の便器受け折罫線と、Ｙ字状のくり抜き部切込線とによって形成される便器受けを有し、
衝立板ブランクの中央折罫線を谷折りして、便器受け折罫線を折ることによって形成される便器受けに小便器を嵌合せしめて、衝立板の背後に露出した小便器の排出孔に、タンクに至るホースを接続することにより組み立てが可能であることを特徴とする組立式簡易小便器。
【請求項２】
衝立板と小便器が耐水性を有する紙製であることを特徴とする請求項１に記載の組立式簡易小便器。
【請求項３】
前記耐水性を有する紙は、板紙の両面にポリエチレン樹脂層を積層したものであることを特徴とする請求項２に記載の組立式簡易小便器。
【請求項４】
衝立板の左右両側端にのりしろを有することを特徴とする請求項１〜３のいずれか1項に記載の組立式簡易小便器。
【請求項５】
衝立板の下端部にのりしろを有することを特徴とする請求項１〜４のいずれか1項に記載の組立式簡易小便器。
【請求項６】
衝立板の上端部にのりしろを有することを特徴とする請求項１〜５のいずれか1項に記載の組立式簡易小便器。
【発明の詳細な説明】
【技術分野】
【０００１】
本発明は、簡単に組み立てて設置することができる組立式簡易小便器に関する。
【背景技術】
【０００２】
競技場、劇場などのように、本来大勢の観客が集ることを前提としている施設の場合には、収容人員に応じて必要な数のトイレが設置されている場合が多い。しかし、例えば小学校で運動会を開催する場合であるとか、公園で集会を開催する場合などのように、本来その施設が想定している利用者数を大幅に上回る人数の人が集る会場においては、トイレが一時的に不足することがある。
【０００３】
また、花火大会や屋外コンサートなどのように、もともとトイレ施設の無い場所で、極く短い会期に、非常に多くの人が集るようなイベントにおいては、このトイレの問題は、極めて深刻な問題である。
【０００４】
従来このような場合の対応手段としては、個室の中に便器が設置され、施錠のできるドアを備えたプレハブ式のトイレを一時的に設置する方法が用いられている。このようなトイレは、プライバシーの問題がなく、男性でも女性でも使用することができるので、理想的ではあるが、反面設置スペースの問題や予算の問題があり、必要な数のトイレが設置できない場合があった。
【０００５】
そこで、一定の数のプレハブ式トイレとは別に、男性用の小便器を並べて設置することによって、混雑を緩和する手段が検討されるようになった。
【０００６】
特許文献１に記載された組立式簡易小便器セットおよび組立式簡易小便器は、このように多数の人が出入りする場所に設置して使用し、不使用時には解体し折り畳んで保存するのに便利な組立式簡易小便器である。
【先行技術文献】
【特許文献】
【０００７】
【特許文献１】特開２００７−２０２７５５号公報
【発明の概要】
【発明が解決しようとする課題】
【０００８】
特許文献１に記載された組立式簡易小便器は、衝立となる板状体Ａと小便受け体Ｃと、この小便受け体Ｃを固定するための固定用板状体Ｂの３つの部材を組み立てるものであるが、糊付け部が多く、組み立てに手間が掛るという問題がある。
【０００９】
また、小便を収納するタンクを小便受け体の下に置くようにしてあるため、足元が狭くて、使用時にタンクが邪魔になるばかりでなく、小便がこぼれた時にタンクが汚れてしまい、後始末が面倒であるという問題もあった。
【００１０】
本発明の解決しようとする課題は、部品点数が少なくて済み、組み立てが簡単であり、後始末も容易な組立式簡易小便器を提案するものである。
【課題を解決するための手段】
【００１１】
上記の課題を解決するための手段として、請求項１に記載の発明は、衝立板と小便器とホースとタンクから構成される組立式簡易小便器であって、衝立板は、長方形状であり、
中央折罫線が谷折りされることにより自立するものであり、小便器は、逆四角錘形状であり、四角錘の頂点に相当する部分にホースを接続可能な排出孔を有し、衝立板の中央部に、逆Ｖ字状の便器受け切込線と、３本の便器受け折罫線と、Ｙ字状のくり抜き部切込線とによって形成される便器受けを有し、衝立板ブランクの中央折罫線を谷折りして、便器受け折罫線を折ることによって形成される便器受けに小便器を嵌合せしめて、衝立板の背後に露出した小便器の排出孔に、タンクに至るホースを接続することにより組み立てが可能であることを特徴とする組立式簡易小便器である。
【００１２】
本発明に係る組立式簡易小便器は、衝立板に設けられた便器受けに四角錘形状の小便器を嵌合させるだけの構造であるため、極めて簡単に組み立てができる。
【００１３】
また、請求項２に記載の発明は、衝立板と小便器が耐水性を有する紙製であることを特徴とする請求項１に記載の組立式簡易小便器である。
【００１４】
また、請求項３に記載の発明は、前記耐水性を有する紙が、板紙の両面にポリエチレン樹脂層を積層したものであることを特徴とする請求項２に記載の組立式簡易小便器である。
【００１５】
また、請求項４に記載の発明は、衝立板の左右両側端にのりしろを有することを特徴とする請求項１〜３のいずれか1項に記載の組立式簡易小便器である。
【００１６】
また、請求項５に記載の発明は、衝立板の下端部にのりしろを有することを特徴とする請求項１〜４のいずれか1項に記載の組立式簡易小便器である。
【００１７】
また、請求項６に記載の発明は、衝立板の上端部にのりしろを有することを特徴とする請求項１〜５のいずれか1項に記載の組立式簡易小便器である。
【発明の効果】
【００１８】
本発明に係る組立式簡易小便器は、衝立板と小便器とホースとタンクから構成される組立式簡易小便器であり、逆四角錘形状に組み立てた小便器の先端に設けられた排出孔にホースを接続し、衝立板を折り曲げて自立させ、小便器を便器受けに嵌合させるだけの極めて簡単な操作によって組み立てることができる。このため、短時間に多数の小便器を準備することが可能である。
【００１９】
小便器に接続したホースは、衝立板の背後に設置したタンクに接続されるので、使用時にタンクやホースが邪魔にならず、またタンクも汚れ難いので、後始末が容易である。
【００２０】
請求項２に記載の発明のように、衝立板と小便器が耐水性を有する紙製である場合には、コスト的にも安価で済み、短期間の使用を前提とした用途に最適である。さらに請求項３に記載の発明のように、耐水性を有する紙として、板紙の両面にポリエチレン樹脂層を積層したものを使用した場合には、コスト面、耐水性面において最適な効果が期待できる。
【００２１】
請求項４に記載の発明のように、衝立板の左右両側端にのりしろを備えた場合には、衝立板を垂直に設置した柱に固定したり、あるいは複数の衝立板を連結して設置したりすることができる。
【００２２】
請求項５に記載の発明のように、衝立板の下端部にのりしろを備えた場合には、床面に固定して使用することができる。また請求項６に記載の発明のように、衝立板の上端部にのりしろを備えた場合には、水平に設置したカウンターなどに固定して使用することがで
きる。
【図面の簡単な説明】
【００２３】
【図１】図１は、本発明に係る組立式簡易小便器の実施例を示した斜視説明図である。
【図２】図２は、図１に示した組立式簡易小便器の衝立板のブランクを示した平面模式図である。
【図３】図３は、本発明に係る組立式簡易小便器の小便器の例を示した斜視図である。
【図４】図４は、図３に示した小便器のブランクを示した平面模式図である。
【発明を実施するための形態】
【００２４】
以下、図面を参照しながら、本発明に係る組立式簡易小便器について詳細に説明する。図１は、本発明に係る組立式簡易小便器（１）の実施例を示した斜視図である。また図２は、図１に示した組立式簡易小便器の衝立板のブランク（１０Ｂ）を示した平面模式図である。図２において、点線は山折罫線を一点鎖線は谷折罫線をそれぞれ示している。
【００２５】
本発明に係る組立式簡易小便器（１）は、衝立板（１０）と小便器（２０）とホース（３０）とタンク（４０）から構成される組立式簡易小便器である。
【００２６】
衝立板（１０）は、長方形状であり、中央折罫線（ａ）が谷折りされることにより自立するものであるが、この例では、衝立板（１０）の上下に連結帯（１５）が設けられているので、この連結帯（１５）を連結し、さらにガムテープなどで固定することにより、自立性が増すと共に、衝立板の折り角度が一意的に決るので便利である。
【００２７】
この例では、衝立板（１０）の下端部にのりしろ（２３）を有するので、こののりしろ（２３）を、例えば床板に固定することにより、より倒れにくいものとすることができる。
【００２８】
また、この例では、衝立板（１０）の左右両側端にのりしろ（２２）を有するので、のりしろ（２２）同士を繋いで、複数の衝立板を連結したり、あるいは、垂直の柱に固定したりすることができる。
【００２９】
また、この例では、衝立板の上端部にものりしろ（２３）を有するので、例えば水平に設置したカウンターなどに固定して使用することもできる。
【００３０】
特に図示しないが、衝立板の剛性や自立性を高めるために、裏面に桟を取り付けたり、リブ状の部材を貼り付けたりしてもよい。
【００３１】
衝立板（１０）の中央部には、逆Ｖ字状の便器受け切込線（１２）と、３本の便器受け折罫線（ｂ、ｃ、ｄ）と、Ｙ字状のくり抜き部切込線（１９）とによって形成される便器受け（１１）が形成されている。便器受け（１１）は、折罫線（ｂ、ｄ）を谷折りし、折罫線（ｃ）を山折りすることで手前に突出するように形成される。
【００３２】
一方、小便器（２０）は、図３に示したように、逆四角錘形状であり、四角錘の頂点に相当する部分にホース（３０）を接続可能な排出孔（２４）を有する。図４は、図３に示した小便器のブランク（２０Ｂ）を示した平面模式図である。この例では、四角錘を形成する４面の両端に、４面とほぼ同形の、斜線で示した、のりしろ（２２、２３）が設けら
れている。
【００３３】
このように、のりしろ（２２、２３）を各面とほぼ同じ大きさにしたことで、小便器ブランク（２０Ｂ）の折罫線（ｇ、ｈ、ｉ、ｊ、ｋ）を谷折りするだけで小便器（２０）の形状はほぼ安定し、しかも使用時に尿が外側に浸み出すことを防止することができる。
【００３４】
なお接着剤や両面粘着テープなどによって、のりしろ（２２、２３）を対応する面に接着することが、より望ましいが、端部をガムテープなどで簡単に固定したり、あるいは全く固定しなくても使用することができる。
【００３５】
小便器ブランク（２０Ｂ）は、図４に示したように、組み立て後に排出孔（２４）となる部分を中心として各面が扇形に配置されており、正面となる折罫線（ｉ）の先端部は膨らんで突出し部（２１）を形成している。突出し部（２１）は、尿が下にこぼれるのを防止する効果があると共に、小便器の先端が尖らずに丸みを帯びるため、安全性の点でも好ましい。
【００３６】
また、折罫線は、折罫線（ｉ）が最も短く、次いで（ｈ、ｊ）、（ｇ、ｋ）の順に長くなっている。このため前面となる２枚の板よりも後面となる２枚の板は、中心からの距離が長くなっており、小便器（２０）の開口が斜め上方に向って開くようになっている。
【００３７】
小便器（２０）を形成する面の頂角（θ’）は、４面とも等しく、この角度は、衝立板（１０）の便器受け（１１）の折罫線（ｃ）と折罫線（ｄ）のなす角（θ）と等しい。なお折罫線（ｂ）と折罫線（ｃ）のなす角もθである。
【００３８】
このように、それぞれの四角錘形状の面の頂角が等しいので、衝立板ブランク（１０Ｂ）の中央折罫線（ａ）を谷折りして、便器受け折罫線（ｂ、ｄ）を谷折りし、折罫線（ｃ）を山折りすることによって形成される便器受け（１１）には、小便器（２０）をぴったりと嵌合させることができる。
【００３９】
しかも、小便器（２０）は、便器受け（１１）よりも辺の長さが長く、大きいので、小便器（２０）は便器受け（１１）に引っ掛かるように嵌合し、下に抜け落ちることはない。
【００４０】
従って、組立式簡易小便器（１）を組み立てるには、小便器（２０）の排出孔（２４）に、ホース（３０）を接続し、ホースの先を便器受け（１１）の窓に落し込み、ホースの先端を衝立板（１０）の背後に設置したタンク（４０）の口栓部に挿入するだけの極めて簡単な操作で済む。
【００４１】
なお、排出孔（２４）へのホース（３０）の接続は、ガムテープを巻き付ける方法などによって簡単に行うことができる。
【００４２】
くり抜き部切込線（１９）によって形成されるくり抜き部（１８）は、ホース（３０）が収納される部分である。なお、くり抜き部切込線（１９）の両側の部分は、くり抜き部折罫線（ｅ、ｆ）によって衝立板（１０）の背面に折り込まれるが、逆に前面側に折って、ホースの目隠しとして使用してもよい。
【００４３】
本発明に係る組立式簡易小便器に用いる材料としては、折り曲げ可能な板状材料であれば、何でもよく、特に限定されないが、繰返し使用するのではなく、一時的な使用と、使用後の廃棄を前提とした場合には、紙製であることが最も適している。紙の種類としては、板紙や段ボールが挙げられる。但し小便器（２０）に用いる材料としては、段ボールは端面から尿が侵入しやすいので、好ましくない。
【００４４】
使用が一時的である場合であっても、ある程度の耐水性は必要であるので、耐水処理を施した板紙や段ボールが望ましく、中でも片面あるいは両面にポリエチレン樹脂層を積層した板紙が撥水性の点や、コストの面で好適に用いられる。
【００４５】
板紙の表面にポリエチレン樹脂層を形成する方法としては、接着剤を用いて紙の表面にポリエチレン樹脂フィルムを貼り合せる方法や、溶融したポリエチレン樹脂を紙の表面に押し出して貼り合せる方法がある。以下実施例に基いて、本発明に係る組立式簡易小便器について具体的に説明する。
【実施例１】
【００４６】
衝立板として、２枚の耐水処理板紙を合紙して坪量を９４０ｇ／ｍ２とした板紙を用いて、図２に示した形状のブランクを作成した。ブランクの寸法は、縦１２６０ｍｍ、横９４０ｍｍとした。
【００４７】
小便器として、坪量３５０ｇ／ｍ２の板紙に両面ポリエチレン樹脂加工を施した耐水板紙を用いて、図４に示した形状のブランクを作成した。
【００４８】
小便器ブランクを折罫線に従って折り、のりしろ部をホットメルト接着剤で固定した。小便器は、この状態で折り畳んでイベント会場に輸送することができる。
【００４９】
イベント会場において、引き起した小便器の先端にホースを固定し、自立させた衝立板の便器受けに落し込み、ホースの先端をポリタンクの口栓に挿入することで簡易小便器が完成した。
【００５０】
本発明に係る組立式簡易小便器は、極めて簡単に組み立てが可能であり、使用後も小便器のみ廃棄すれば、残りの部材は再使用も可能である。従って、花火大会や運動会などのように、短い会期に大勢の観客が集るようなイベント会場において、好適に使用できるものである。
【符号の説明】
【００５１】
１・・・組立式簡易小便器
１０・・・衝立板
１０Ｂ・・・衝立板ブランク
１１・・・便器受け
１２・・・便器受け切込線
ａ・・・中央折罫線
ｂ、ｃ、ｄ・・・便器受け折罫線
１５・・・連結帯
１６、１７・・・のりしろ
１８・・・くり抜き部
１９・・・くり抜き部切込線
ｅ、ｆ・・・くり抜き部折罫線
θ・・・便器受け折罫線のなす角度
２０・・・小便器
２０Ｂ・・・小便器ブランク
２１・・・突出し部
２２、２３・・・のりしろ
２４・・・排出孔
ｇ、ｈ、ｉ、ｊ、ｋ・・・折罫線
θ’・・・四角錘形状の小便器の頂角
３０・・・ホース
４０・・・タンク
【図１】
2015142635.tif 000003
【図２】
2015142635.tif 000004
【図３】
2015142635.tif 000005
【図４】
2015142635.tif 000006